(57)【要約】      （修正有）【課題】車両用の温度センサーにおけるサーミスタの取付作業の作業能率を向上させた温度センサー用サーミスタ取付構造を提供する。【解決手段】センサー本体１０にサーミスタ３０を設置した温度センサー用サーミスタ取付構造において、前記センサー本体１０に端子２０をインサートし、この端子２０の先端突出部２１に前記サーミスタ３０のリード線をかしめ結合する。これにより、温度センサーＡにおけるサーミスタ３０の取付作業の作業能率を向上できる。【選択図】図１
0003177077.tif 000002
【実用新案登録請求の範囲】
【請求項１】
センサー本体にサーミスタを設置した温度センサー用サーミスタ取付構造において、前記センサー本体に端子をインサートし、この端子の先端突出部に前記サーミスタのリード線をかしめ結合したことを特徴とする温度センサー用サーミスタ取付構造。
【請求項２】
前記端子の先端突出部はその先端部が略水平に折り曲げられ、この折り曲げ部にかしめ片が設けられていることを特徴とする請求項１の温度センサー用サーミスタ取付構造。
【請求項３】
前記折り曲げ部は前記センサー本体に掛け止めされていることを特徴とする請求項１または請求項２の温度センサー用サーミスタ取付構造。
【考案の詳細な説明】
【技術分野】
【０００１】
この考案は温度センサー用サーミスタ取付構造に関し、車両用の温度センサーに使用されるものである。
【０００２】
従来におけるこの種のサーミスタ取付構造においては、センサー本体にサーミスタを設置しこのサーミスタのリード線と電線とをジョイント端子によって結合したり、またはこれらを半田付けによって接合していた。
【０００３】
【特許文献１】特開２００７−２８７３８９号公報
【考案の開示】
【考案が解決しようとする課題】
【０００４】
しかしながら、前者にあっては接合部品としてジョイント端子を別途に用意しなければならず、また、後者にあっては別途に半田付け工程を必要としていたため、温度センサーにおけるサーミスタの取付作業に手間がかかり、作業能率を向上させにくいという不都合を有した。
【０００５】
この不都合を解消することがこの考案の課題である。
【課題を解決するための手段】
【０００６】
前記課題を達成するために、この考案に係る温度センサー用サーミスタ取付構造においては、センサー本体にサーミスタを設置した温度センサー用サーミスタ取付構造において、前記センサー本体に端子をインサートし、この端子の先端突出部に前記サーミスタのリード線をかしめ結合したものである。
【０００７】
この場合、前記端子の先端突出部おいてその先端部を略水平に折り曲げ、この折り曲げ部にかしめ片を設けることもできる。
【０００８】
また、前記折り曲げ部を前記センサー本体に掛け止めすることもできる。
【考案の効果】
【０００９】
この考案に係る温度センサー用サーミスタ取付構造は上記のように構成されているため、即ち、センサー本体にサーミスタを設置した温度センサー用サーミスタ取付構造において、前記センサー本体に端子をインサートし、この端子の先端突出部に前記サーミスタのリード線をかしめ結合したため、サーミスタのリード線を前記端子を介して前記電線に結合することができる結果、従来のように前記リード線と前記電線とを直接結合する必要はないものである。
【００１０】
よって、この考案に係る温度センサー用サーミスタ取付構造を使用すれば、従来必要としたジョイント端子(サーミスタのリード線と電線とを結合する)は不要となり、また、このリード線と電線とを半田付けする必要もないため、温度センサーにおけるサーミスタの取付作業が容易となり、この結果、温度センサーにおけるサーミスタの取付作業の作業能率を向上させることができる。
【００１１】
この場合、前記端子の先端突出部おいてその先端部を略水平に折り曲げ、この折り曲げ部にかしめ片を設ければ、前記端子に対して前記サーミスタを垂直方向に配置できるため、温度センサーとして前記サーミスタの配置自由度を拡大することができる。
【００１２】
また、前記折り曲げ部を前記センサー本体に掛け止めすれば、前記端子に前記サーミスタのリード線をかしめる場合に、このかしめ片を安定よく支えることができる。
【００１３】
この考案に係る温度センサー用サーミスタ取付構造を実施するにあたって次の特徴を有する。
【００１４】
「センサー本体」は合成樹脂によって一体形成される。
【００１５】
「端子のインサート」は前記センター本体の樹脂成形と同時に行われる。
【００１６】
「端子」は前記先端突出部の先端部が略水平に折り曲げられ、この折り曲げ部にかしめ片が設けられている。
【実施例】
【００１７】
以下、この考案の実施例を図面に基づいて説明する。
【００１８】
図１はこの考案に係る温度センサー用サーミスタ取付構造の断面図、図２は図１におけるII部の拡大斜視図である。
【００１９】
図１において、Ａは温度センサー、１０はそのセンサー本体である。このセンサー本体は合成樹脂によって一体成形されている。また、１１は支持突部であり前記センサー本体１０の前部に一体形成されている。この支持突部１１は先端面が平面状である。１２、１２は余裕空間であり、前記センサー本体における前記支持突部１１の両側に形成されている。この余裕空間１２、１２は有底筒状をしている。
【００２０】
次に、２０、２０は端子であり、前記センサー本体にインサートされている。この端子２０、２０は前記センサー本体１０の成形と同時にインサートされ、前記センサー本体１０の軸方向に沿って延びている。
【００２１】
２１、２１は前記端子の先端突出部であり、前記余裕空間１２、１２に突出している。この先端突出部２１、２１は内側に向かってほぼ水平状に折り曲げられ、折り曲げ部２２を形成している。なおこの折り曲げ部２２は前記支持突部の隅部に掛け止めされている。
【００２２】
次に１３はサーミスタ設置凹部であり、前記支持突部１１の先端面に形成されている。このサーミスタ設置凹部１３にはサーミスタ３０が内嵌め固定されている。そしてそのリード線３１、３１は両側方向に延び、前記折り曲げ部(端子２０の)２２の表面に載置された状態である。
【００２３】
次に２３、２３はかしめ片であり、前記端子２０、２０における折り曲げ部２２の両側縁に一体形成されている。このかしめ片２３、２３は、図２に示すように内側に巻き掛けることによって前記サーミスタ３０のリード線３１、３１を端子２０、２０にかしめ固定する。
【００２４】
なおこの実施例では、前記端子２０としてＬ字状のものを使用したが、必ずしもこれに限定されるものではなく、水平面状のものも含まれる。
【産業上の利用可能性】
【００２５】
この考案に係る温度センサー用サーミスタ取付構造は、従来必要としたジョイント端子(サーミスタのリード線と電線とを結合する)は不要となり、また、このリード線と電線とを半田付けする必要もないため、温度センサーにおけるサーミスタの取付作業が容易となり、この結果、温度センサーにおけるサーミスタの取付作業の作業能率を向上させることができる。よって、産業上の利用可能性は高いものである。
【図面の簡単な説明】
【００２６】
【図１】図１はこの考案に係る温度センサー用サーミスタ取付構造の断面図である。
【図２】図２は図１におけるII部の拡大斜視図である。
【符号の説明】
【００２７】
Ａ  …  温度センサー
１０  …  センサー本体
１１  …  支持突部
１２  …  余裕空間
１３  …  サーミスタ設置凹部
２０  …  端子
２１  …  先端突出部
２２  …  折り曲げ部
２３  …  かしめ片
３０  …  サーミスタ
３１  …  リード線
【図１】
0003177077.tif 000003
【図２】
0003177077.tif 000004